(57)【要約】実施形態は、人工弁、及び関連の方法を含む。ある実施形態では、複数のフレーム支柱を含むフレームを有する植込み可能な弁が含まれる。フレームは中心管腔を画成し得る。フレームの管腔外面には外側スカートが配置され得る。外側スカートは、第１の端部及び第２の端部を有するフラップを含み得る。フラップの第１の端部は、フレームの管腔外面に固定されることができ、及び第２の端部は、フレームの管腔外面から離れるように自由に動くことができる。本明細書には他の実施形態も含まれる。
2021516569.tif 000002
【特許請求の範囲】
【請求項１】
複数のフレーム支柱を含むフレームであって、中心管腔を画成するフレームと；
前記フレームの管腔外面に配置された外側スカートと
を含む、植込み可能な弁であって、
前記外側スカートはフラップを含み、前記フラップは、第１の端部及び第２の端部を含み、前記第１の端部は、前記フレームの前記管腔外面に固定されており、及び前記第２の端部は、前記フレームの前記管腔外面から離れるように自由に動くことができる、植込み可能な弁。
【請求項２】
前記フラップは、前記フレームの周囲に延在する環状フラップである、請求項１及び請求項３〜９のいずれか１項に記載の植込み可能な弁。
【請求項３】
さらに、前記中心管腔内に配置された少なくとも１枚の弁葉を含む、請求項１〜２及び請求項４〜９のいずれか１項に記載の植込み可能な弁。
【請求項４】
前記中心管腔の内径は、少なくとも１５ｍｍ、及び４０ｍｍ以下である、請求項１〜３及び請求項５〜９のいずれか１項に記載の植込み可能な弁。
【請求項５】
前記外側スカートは第２のフラップを含み、前記第２のフラップは、第１の端部及び第２の端部を含み、前記第１の端部は、前記フレームの前記管腔外面に接着されており、及び前記第２の端部は、前記フレームの前記管腔外面から離れるように自由に動くことができる、請求項１〜４及び請求項６〜９のいずれか１項に記載の植込み可能な弁。
【請求項６】
前記フラップ及び前記第２のフラップは、同じ方向に位置合わせされて、前記フラップの前記第１の端部及び前記第２のフラップの前記第１の端部が前記中心管腔の入口により近く、並びに前記フラップの前記第２の端部及び前記第２のフラップの前記第２の端部が前記中心管腔の出口により近くなるようにされている、請求項１〜５及び請求項７〜９のいずれか１項に記載の植込み可能な弁。
【請求項７】
前記外側スカートの一部分が、前記フレームの前記管腔外面と前記フラップとの間に配置されている、請求項１〜６及び請求項８〜９のいずれか１項に記載の植込み可能な弁。
【請求項８】
前記フラップの前記第１の端部は前記中心管腔の入口により近く、及び前記フラップの前記第２の端部は前記中心管腔の出口により近い、請求項１〜７及び請求項９のいずれか１項に記載の植込み可能な弁。
【請求項９】
さらに、前記フレームの管腔内面に配置された内側スカートを含む、請求項１〜８のいずれか１項に記載の植込み可能な弁。
【請求項１０】
中心管腔を画成するフレームを得ること；
前記フレームの管腔外面に外側スカートを形成すること；
前記外側スカートの外表面にスペーサを位置決めすること；
第１の端部及び第２の端部を含むフラップを形成することであって、前記第１の端部は、前記フレームの前記管腔外面に接着され、及び前記第２の端部は、前記フレームの前記管腔外面から離れるように自由に動くことができ、前記スペーサは、前記フラップの前記第２の端部と前記フレームの前記管腔外面との間に配置される、フラップを形成すること；及び
前記スペーサを除去すること
を含む、植込み可能な弁の作製方法。
【請求項１１】
さらに：
前記フレームの管腔内面に内側スカートを形成すること
を含む、請求項１０及び請求項１２〜１３のいずれか１項に記載の植込み可能な弁の作製方法。
【請求項１２】
形成は、熱可塑性ポリマーを成形することを含む、請求項１０〜１１及び請求項１３のいずれか１項に記載の植込み可能な弁の作製方法。
【請求項１３】
さらに：
前記外側スカートの前記外側部分に第２のスペーサを位置決めすること；
第１の端部及び第２の端部を含む第２のフラップを形成することであって、前記第１の端部は、前記フレームの前記管腔外面に接着され、及び前記第２の端部は、前記フレームの前記管腔外面から離れるように自由に動くことができ、前記スペーサは、前記フラップの前記第２の端部と前記フレームの前記管腔外面との間に配置される、第２のフラップを形成すること；及び
前記第２のスペーサを除去すること
を含む、請求項１０〜１２のいずれか１項に記載の植込み可能な弁の作製方法。
【請求項１４】
中心管腔を画成するフレームを得ること；
前記フレームの管腔外面にスペーサを位置決めすること；
外側スカート及びフラップを形成することであって、前記外側スカートは前記管腔外面に配置され、且つ前記フラップは、第１の端部及び第２の端部を含み、前記第１の端部は、前記管腔外面に接着され、及び前記第２の端部は、前記管腔外面から離れるように自由に動くことができ、前記スペーサは、前記フラップの前記第２の端部と前記管腔外面との間に配置される、外側スカート及びフラップを形成すること；及び
前記スペーサを除去すること
を含む、植込み可能な弁の作製方法。
【請求項１５】
さらに：
前記管腔外面に第２のスペーサを位置決めすること；
第１の端部及び第２の端部を含む第２のフラップを形成することであって、前記第１の端部は、前記管腔外面に接着され、及び前記第２の端部は、前記管腔外面から離れるように自由に動くことができ、前記第２のスペーサは、前記フラップの前記第２の端部と前記管腔外面との間に配置される、第２のフラップを形成すること；及び
前記第２のスペーサを除去すること
を含む、請求項１４に記載の植込み可能な弁の作製方法。
【発明の詳細な説明】
【技術分野】
【０００１】
本出願は、人工弁及び関連の方法に関する。
【背景技術】
【０００２】
心臓弁が適切に機能しないと、心機能は著しく損なわれ得る。心臓弁の不具合の潜在的原因は、弁輪の拡張、心室拡張、及び弁尖の逸脱又は奇形を含む。心臓弁が適切に閉鎖できないと、心腔内の血液が逆流するか、又は弁を通って後方へ漏れる可能性がある。
【０００３】
弁逆流は、大動脈弁などの問題のある弁を置換又は修復することによって治療され得る。外科的な弁置換術が、問題のある弁を治療するための１つの方法である。経カテーテル的な大動脈弁置換術（ＴＡＶＲ：ｔｒａｎｓｃａｔｈｅｔｅｒ  ａｏｒｔｉｃ  ｖａｌｖｅ  ｒｅｐｌａｃｅｍｅｎｔ）などの治療の最小侵襲方法は、一般的に、問題のある弁を植込み可能な人工心臓弁で置換するために、動脈通路又は他の解剖学的経路を通って心臓まで送達される送達カテーテルの使用を伴う。そのような弁の弁葉は、合成材料及び動物の組織を含む、様々な材料から形成されてきている。弁は、通常、一方向の流れを可能にし、且つ反対方向の流れを防止するように設計されている。
【発明の概要】
【発明が解決しようとする課題】
【０００４】
互いに反対方向に作用する収縮期圧及び拡張期圧のために、血液は、両方向に流れようとする。それゆえ、弁は、血液が所望の方向とは逆に流れるのを防止するように、特に注意して設計され得る。
【課題を解決するための手段】
【０００５】
第１の態様では、植込み可能な弁が含まれる。植込み可能な弁は、フレーム及び外側スカートを含み得る。フレームは、複数のフレーム支柱を含み得る。フレームは、中心管腔を画成し得る。外側スカートは、フレームの管腔外面（ａｂｌｕｍｉｎａｌ  ｓｕｒｆａｃｅ）に配置され得る。外側スカートはフラップを含み得る。フラップは、第１の端部及び第２の端部を含み得る。第１の端部は、フレームの管腔外面に固定されることができ、及び第２の端部は、フレームの管腔外面から離れるように自由に動くことができる。
【０００６】
第２の態様では、前述若しくは以下の態様の１つ以上に加えて、又はいくつかの態様の代替例において、フラップは、フレームの周囲に延在する環状フラップとし得る。
第３の態様では、前述若しくは以下の態様の１つ以上に加えて、又はいくつかの態様の代替例において、植込み可能な弁は、さらに、中心管腔内に配置された少なくとも１枚の弁葉を含み得る。
【０００７】
第４の態様では、前述若しくは以下の態様の１つ以上に加えて、又はいくつかの態様の代替例において、弁葉の一部分の厚さは、フラップよりも厚いとし得る。
第５の態様では、前述若しくは以下の態様の１つ以上に加えて、又はいくつかの態様の代替例において、弁葉は、外側スカート及びフラップと同じポリマーを含み得る。
【０００８】
第６の態様では、前述若しくは以下の態様の１つ以上に加えて、又はいくつかの態様の代替例において、中心管腔の内径は、少なくとも１５ｍｍ、及び４０ｍｍ以下とし得る。
第７の態様では、前述若しくは以下の態様の１つ以上に加えて、又はいくつかの態様の代替例において、外側スカートは第２のフラップを含み得る。第２のフラップは、第１の端部及び第２の端部を含み得る。第１の端部は、フレームの管腔外面に接着されることができ、及び第２の端部は、フレームの管腔外面から離れるように自由に動くことができる。
【０００９】
第８の態様では、前述若しくは以下の態様の１つ以上に加えて、又はいくつかの態様の代替例において、フラップ及び第２のフラップは同じ方向に位置合わせされ得、フラップの第１の端部及び第２のフラップの第１の端部は、中心管腔の入口により近くでき、並びにフラップの第２の端部及び第２のフラップの第２の端部は、中心管腔の出口により近くできるようにする。
【００１０】
第９の態様では、前述若しくは以下の態様の１つ以上に加えて、又はいくつかの態様の代替例において、外側スカートの一部分は、フレームの管腔外面とフラップとの間に配置され得る。
【００１１】
第１０の態様では、前述若しくは以下の態様の１つ以上に加えて、又はいくつかの態様の代替例において、外側スカートは熱可塑性ポリマーを含み得る。
第１１の態様では、前述若しくは以下の態様の１つ以上に加えて、又はいくつかの態様の代替例において、フラップの第１の端部は中心管腔の入口により近くでき、及びフラップの第２の端部は中心管腔の出口により近くできる。
【００１２】
第１２の態様では、前述若しくは以下の態様の１つ以上に加えて、又はいくつかの態様の代替例において、植込み可能な弁は、さらに、フレームの管腔内面（ｌｕｍｉｎａｌ  ｓｕｒｆａｃｅ）に配置された内側スカートを含み得る。
【００１３】
第１３の態様では、前述若しくは以下の態様の１つ以上に加えて、又はいくつかの態様の代替例において、フラップの第２の端部は管腔外面から外され得る。
第１４の態様では、前述若しくは以下の態様の１つ以上に加えて、又はいくつかの態様の代替例において、植込み可能な弁の作製方法が含まれる。方法は、中心管腔を画成するフレームを得ることを含み得る。方法は、フレームの管腔外面に外側スカートを形成することを含み得る。方法は、外側スカートの外表面にスペーサを位置決めすることを含み得る。方法は、フラップを形成することを含み得る。フラップは、第１の端部及び第２の端部を含み得る。第１の端部は、フレームの管腔外面に接着されることができ、及び第２の端部は、フレームの管腔外面から離れるように自由に動くことができる。スペーサは、フラップの第２の端部とフレームの管腔外面との間に配置され得る。方法はまた、スペーサを除去することを含み得る。
【００１４】
第１５の態様では、前述若しくは以下の態様の１つ以上に加えて、又はいくつかの態様の代替例において、植込み可能な弁の作製方法は、フレームの管腔内面に内側スカートを形成することを含み得る。
【００１５】
第１６の態様では、前述若しくは以下の態様の１つ以上に加えて、又はいくつかの態様の代替例において、形成は、熱可塑性ポリマーを成形することを含み得る。
第１７の態様では、前述若しくは以下の態様の１つ以上に加えて、又はいくつかの態様の代替例において、スペーサは、長方形の条片とし得る。
【００１６】
第１８の態様では、前述若しくは以下の態様の１つ以上に加えて、又はいくつかの態様の代替例において、植込み可能な弁の作製方法は、外側スカートの外側部分に第２のスペーサを位置決めすることを含み得る。方法は、第２のフラップを形成することを含み得る。第２のフラップは、第１の端部及び第２の端部を含み得る。第１の端部は、フレームの管腔外面に接着されることができ、及び第２の端部は、フレームの管腔外面から離れるように自由に動くことができる。スペーサは、フラップの第２の端部とフレームの管腔外面との間に配置され得る。方法は、さらに、第２のスペーサを除去することを含み得る。
【００１７】
第１９の態様では、前述若しくは以下の態様の１つ以上に加えて、又はいくつかの態様の代替例において、植込み可能な弁の作製方法が含まれる。方法は、中心管腔を画成するフレームを得ることを含み得る。方法は、フレームの管腔外面にスペーサを位置決めすることを含み得る。方法は、外側スカート及びフラップを形成することを含み得る。外側スカートは管腔外面に配置され得る。フラップは、第１の端部及び第２の端部を含み得る。第１の端部は、管腔外面に接着されることができ、及び第２の端部は、管腔外面から離れるように自由に動くことができる。スペーサは、フラップの第２の端部と管腔外面との間に配置され得る。方法は、スペーサを除去することを含み得る。
【００１８】
第２０の態様では、前述若しくは以下の態様の１つ以上に加えて、又はいくつかの態様の代替例において、請求項に記載の植込み可能な弁の作製方法は、さらに、管腔外面に第２のスペーサを位置決めすることを含み得る。方法は、第１の端部及び第２の端部を含む第２のフラップを形成することを含み得る。第１の端部は、管腔外面に接着されることができ、及び第２の端部は、管腔外面から離れるように自由に動くことができる。第２のスペーサは、フラップの第２の端部と管腔外面との間に配置され得る。方法は、第２のスペーサを除去することを含み得る。
【００１９】
この概要は、本出願の教示のいくつかの要旨であり、本主題の排他的又は徹底的な表現方法を意図するものではない。さらなる詳細が、詳細な説明及び添付の特許請求の範囲で見出される。他の態様は、以下の詳細な説明を読んで理解し、且つその一部をなす図面を見ると、当業者に明らかであり、それらそれぞれは、限定ととられるべきではない。本出願の範囲は、添付の特許請求の範囲及びそれらの法的な等価物によって定義される。
【００２０】
本技術は、以下の図面に関連して、より完全に理解され得る。
【図面の簡単な説明】
【００２１】
【図１】様々な実施形態による、使用され得る環境の一部内で、閉鎖状態にある弁の概略的な斜視図である。
【図２】様々な実施形態による、使用され得る環境の一部内で、閉鎖状態にある弁の概略的な端面図である。
【図３】様々な実施形態による、植込み可能な弁の概略図である。
【図４】様々な実施形態による、植込み可能な弁の一部分の概略的な断面図である。
【図５】様々な実施形態による、植込み可能な弁の作製方法を示すフローチャートである。
【図６】様々な実施形態による、植込み可能な弁の一部分の概略的な断面図である。
【図７】様々な実施形態による、植込み可能な弁の一部分の概略的な断面図である。
【図８】様々な実施形態による、植込み可能な弁の一部分の概略的な断面図である。
【図９】様々な実施形態による、植込み可能な弁の作製方法を示すフローチャートである。
【図１０】様々な実施形態による、植込み可能な弁の一部分の概略的な断面図である。
【図１１】様々な実施形態による、植込み可能な弁の一部分の概略的な断面図である。
【図１２】様々な実施形態による、植込み可能な弁の一部分の概略的な断面図である。
【図１３】様々な実施形態による、植込み可能な弁の一部分の概略的な断面図である。
【図１４】様々な実施形態による、スペーサの図である。
【図１５】様々な実施形態による、スペーサの図である。
【発明を実施するための形態】
【００２２】
本技術は、様々な修正例及び代替形態の影響を受けやすいが、その詳細が、例として図面に示されており、且つ詳細に説明される。しかしながら、本出願は、説明される特定の実施形態に限定されないことが理解されるべきである。それどころか、本出願は、本技術の趣旨及び範囲に入る修正例、等価物、及び代替例を網羅することを意図する。
【００２３】
人体には４つの心臓弁がある：肺動脈弁、三尖弁、大動脈弁及び僧帽弁。これら心臓弁の目的は、血液が、心臓を通って、心臓から、心臓につながっている大血管、例えば大動脈及び肺動脈へと特定の方向に流れることができるようにすることである。人体の弁の代わりとなるように設計された人工弁は、いずれも２枚以上の弁葉（一般的には３枚）を含むことが多く、これら弁葉は、フレームに取り付けられている。人工弁は、例えば弁を開放するように弁葉を互いに引き離すか、又は弁を閉鎖するように弁葉を結合（弁葉接合）することによって、弁を通って一方向に流れることができるように構成され得る。
【００２４】
多くのシナリオでは、人工弁は、例えば収縮期圧下、一方向に弁を通って流れることができるようにし、且つ例えば拡張期圧下、反対方向に流れるのを防止するように構成されている。弁の性能は、血管内での弁の適合具合に大きく依存し得る。可変直径封止スカート及び関連の方法の様々な実施形態が、本明細書に開示されている。
【００２５】
いくつかの実施形態では、封止スカート又はフラップは、弁フレームの管腔外面に少なくとも部分的に固定され得る。封止スカートは、弁と、それが置かれる血管とのサイズの差に一致するように、可変直径を有し得る。可変直径はまた、弁が血管の形状に一致できるようにする。スカートは、拡張期圧下の流れなどが、望まれない方向に流れるのを防止するように構成され得る。拡張期圧下では、血流は、収縮期圧下の流れに対して、逆方向とし得る。封止スカートは、空洞又はポケットを画成するために、弁フレームの管腔外面から分離し得る自由縁を有するフラップを含み得る。空洞又はポケットは、意図しない方向に流れようとする流体を遮断できる。フラップは、フレームの管腔外面と周りの血管との間にシールをもたらし、それにより、逆流を防止し得る。
【００２６】
図１は、様々な実施形態による、血管１１４内にある、閉鎖状態にある弁１００の概略図を示す。図２は、閉鎖状態にある弁１００の端面図を示す。弁１００は任意のタイプの心臓弁（例えば、僧帽弁、大動脈弁など）とし得ることが理解されるべきである。使用中、弁１００は、哺乳類の心臓に植込まれ得る（例えば、外科的に又は経カテーテル的な（ｔｒａｎｓｃａｔｈｅｔｅｒ）送達によって）。
【００２７】
弁１００は、例えば矢印１１２で示すように、弁１００を通って一方向に流れることができるように構成され得る。ある実施形態では、矢印１１２は、例えば弁１００が大動脈弁であるときの、収縮期圧中の血流を表す。他の実施形態では、矢印は、例えば弁１００が僧帽弁であるときの、拡張期圧中の血流を表す。フレーム１０２の管腔外面と血管１１４との間の、矢印１１２とは反対の流れは、本明細書で開示される様々な実施形態によって妨げられ得る。弁１００は、入口１３６及び出口１３８を含み得る。入口１３６は、収縮期圧によって生じた流れの最中に血液が弁１００に入る、弁１００の上流部分を指し得る。出口１３８は、収縮期圧によって生じた流れの最中に血液が弁１００から出る、弁１００の下流部分とし得る。
【００２８】
弁１００は、いくつかの実施形態では実質的にシリンダー状とし得る中心管腔２１６（図２参照）を画成するフレーム１０２を含み得る。中心管腔２１６に対面する、フレーム１０２及び他の構成要素の側面は、管腔内面２３０又は管腔内側面と称し得る。フレーム１０２及び他の構成要素の対向する側面（例えば、中心管腔２１６から見て外方に向く）は、管腔外面２３２又は管腔外側面と称し得る。様々な実施形態では、フレーム１０２は、実質的に円形の断面を有し得る。他の実施形態では、フレーム１０２は、非円形の、例えばＤ字形状の断面を有し得る。いくつかの実施形態では、非円形フレーム１０２は、僧帽弁又は体内の別の非円形の弁を修復するために使用され得る。フレーム１０２は、少なくともそのいくつかの構成要素を含め、限定されるものではないが、金属及び金属合金、例えば耐食金属及び金属合金、複合材、セラミック、ポリマーなどを含む、様々な材料で形成され得る。いくつかの実施形態では、フレーム１０２は、少なくとも部分的にニチノール（ｎｉｔｉｎｏｌ）で形成され得る。
【００２９】
弁１００は、中心管腔２１６内に配置される複数の弁葉１０４を含み得る。各弁葉１０４は、フレーム１０２に結合されたそれぞれの根元縁１０６と、他のポリマー弁葉１０４の接合縁１０８と接合領域１１０に沿って端から端まで接合するように根元縁１０６に対して可動であるそれぞれの自由縁すなわち接合縁１０８とを含み得る。いくつかの実施形態では、複数の弁葉１０４は、互いに一体的に形成され得、弁葉１０４が単一ユニットとして形成されるようにする。いくつかの実施形態では、「根元縁」は、弁葉１０４がフレーム１０２に形成されるときなどに形成された縁とし得る。しかしながら、他の実施形態では、弁葉１０４は、例えば一体式スカート、ベース構造、ライナー、弁葉などの他の構造と一体的に形成され得るため、そういった状況では、「根元縁」は実際の切れ目又は他の方法で分割された縁ではなく、むしろ、弁葉がそれらの他の構造と一体的に接触する、接合縁に対向する箇所である。
【００３０】
弁葉１０４の接合縁１０８が互いに接合して閉鎖状態の位置（図１及び図２）になって、閉鎖状態の位置にある弁１００を通過して流体が流れるのを実質的に制限する。弁葉１０４は、弁１００の中心管腔２１６を塞ぐ又は閉鎖するように接合し得、それにより、矢印１１２とは反対の流体の流れを妨げる。
【００３１】
図３は、様々な実施形態による、植込み可能な弁３００の図を示す。弁３００は：フレーム３０２、１つ以上の弁葉３０４、内側スカート３１８、及び外側スカート３２０のうちの１つ以上を含み得る。フレーム３０２は、複数のフレーム支柱３２２を含み得る。フレーム３０２は中心管腔２１６を画成し得る。弁葉３０４は接合縁を含み得る。弁葉３０４はフレーム３０２に結合され得る。
【００３２】
様々な実施形態では、植込み可能な弁３００は、内側スカート３１８を含み得る。内側スカート３１８は、フレーム３０２の管腔内面２３０に配置され得る。フレーム３０２の管腔内面２３０は、中心管腔２１６を画成するフレーム３０２の面とし得る。内側スカート３１８は、血液が弁３００を通って流れるように方向付け得る。内側スカート３１８は、例えば、弁が大動脈弁として構成されているとき、拡張期圧の間の閉鎖した形状では、血液が弁３００の中心管腔２１６を通って流れ、且つ弁葉３０４の周りには流れないようにすることを保証し得る。
【００３３】
様々な実施形態では、植込み可能な弁３００は、外側スカート３２０を含み得る。外側スカート３２０は、フレーム３０２の管腔外面２３２に配置され得る。フレーム３０２の管腔外面２３２は、中心管腔２１６の外側にある、フレーム３０２の面とし得る。外側スカート３２０は、図１及び図２に示すように、弁が植込まれるとき、フレーム３０２と血管壁との間に配置され得、血液が弁３００の周りに流れるのを防止する。外側スカート３２０は、血液が弁３００を通って流れ、且つ弁３００の周りには流れないようにすることを保証して、例えば拡張期圧の間、閉鎖状態の位置にある弁葉３０４が血流を確実に止めるようにし得る。
【００３４】
様々な実施形態では、外側スカート３２０はフラップ３２４を含み得る。フラップ３２４は、第１の端部３２６及び第２の端部３２８を含み得る。第１の端部３２６は、フレーム３０２の管腔外面２３２に直接又は間接的に固定され得る、取り付けられ得る、又は結合され得る。第２の端部３２８は、フレーム３０２の管腔外面２３２から離れるように自由に動くことができる。いくつかの実施形態では、第２の端部３２８は、管腔外面２３２にくっついていないか又はそこから外されているため、第２の端部３２８は、管腔外面２３２から離れるように、又はそちらの方へ向かって、自由に動くことができる。いくつかの実施形態では、フラップ３２４は環状フラップとし得、フラップ３２４がフレーム３０２の周囲に延在するようにする。いくつかの実施形態では、第２の端部３２８は、フレーム３０２の周囲の１つの場所で又は２つ以上の離散した場所でフレーム３０２の管腔外面２３２に取り付けられ得るので、第２の端部３２８の複数の部分は、管腔外面２３２から離れるように自由に動ける状態のままにする一方で、他の部分はそこに取り付けられて、複数のポケットを形成する。
【００３５】
いくつかの実施形態では、弁葉３０４は、熱可塑性ポリマーを含む材料で形成され得る。いくつかの実施形態では、内側スカート３１８は、熱可塑性ポリマーを含む材料で形成され得る。いくつかの実施形態では、外側スカート３２０及び／又はフラップ３２４は、熱可塑性ポリマーを含む材料で形成され得る。いくつかの実施形態では、弁葉３０４、内側スカート３１８、外側スカート３２０及びフラップ３２４のうちの１つ以上は、同じ熱可塑性ポリマーを含む同じ材料で形成され得る。いくつかの実施形態では、熱可塑性ポリマーはポリウレタンを含み得る。いくつかの実施形態では、弁葉３０４、内側スカート３１８、外側スカート３２０及び／又はフラップ３２４のうちの１つ以上は、生物由来材料、例えばウシ心膜、ウマ心膜、又はブタ心膜で形成され得る。
【００３６】
フラップ３２４の第２の端部３２８は、管腔外面２３２から離れるように曲がって、ポケット又は空洞４３４を形成し得る。空洞４３４は、拡張期圧の期間中の流れなど、意図しない方向に流れる血液を捕らえる又は遮断するように構成され得る。空洞４３４は、図４に示す概略的な断面図に示され得る（図４並びに本明細書のいくつかの他の図面は、いくつかの態様を、説明を簡単にし且つ明確にするために、単純化して概略的に示していることが理解される）。空洞の開口部は、弁の出口端部の方に対面し得る。いくつかの実施形態では、フラップ３２４の第１の端部３２６は、フラップ３２４の第２の端部３２８よりも、弁３００の入口４３６の近くに配置され得る。同様に、フラップ３２４の第２の端部３２８は、フラップ３２４の第１の端部３２６よりも、出口４３８の近くに配置され得る。
【００３７】
いくつかの実施形態では、図４に示すように、外側スカート３２０の一部分４４６が、管腔外面２３２とフラップ３２４との間に配置され得る。他の実施形態では、図１２に示すように、外側スカート３２０のどの部分も、管腔外面２３２とフラップ３２４との間に配置されない。
【００３８】
いくつかの実施形態では、弁葉３０４の少なくとも一部分の厚さは、フラップ３２４の厚さよりも厚い。いくつかの実施形態では、弁葉３０４の厚さは、フラップ３２４の厚さ以上である。
【００３９】
様々な実施形態では、中心管腔２１６の内径４４０は、少なくとも１０ｍｍ、及び５０ｍｍ以下とし得る。様々な実施形態では、中心管腔２１６の内径４４０は、少なくとも１５ｍｍ、及び４０ｍｍ以下とし得る。様々な実施形態では、中心管腔２１６の内径４４０は、少なくとも２０ｍｍ、及び３５ｍｍ以下とし得る。
【００４０】
いくつかの実施形態では、フラップの内径４４２、例えばフラップ３２４の内側部分、又は空洞４３４の直径は、内径４４０のサイズの少なくとも１０５％、及び内径４４０のサイズの１３０％以下とし得る。いくつかの実施形態では、フラップ３２４の外径は、内径４４０のサイズの少なくとも１１０％、及び内径４４０のサイズの１２５％以下とし得る。いくつかの実施形態では、フラップ３２４の外径は、内径４４０のサイズの少なくとも１１０％、及び内径４４０のサイズの１２０％以下とし得る。
【００４１】
いくつかの実施形態では、フラップ３２４の高さ４４４は、内径４４０のサイズの少なくとも５％、及び内径４４０のサイズの５０％以下とし得る。いくつかの実施形態では、フラップ３２４の高さ４４４は、内径４４０のサイズの少なくとも１０％、及び内径４４０のサイズの４０％以下とし得る。いくつかの実施形態では、フラップ３２４の高さ４４４は、内径４４０のサイズの少なくとも１０％、及び内径４４０のサイズの３０％以下とし得る。
【００４２】
図５は、ある実施形態による、植込み可能な弁の作製方法５４８を示すフローチャートを示す。方法５４８は、フレームを得ること５５０を含み得る。上述の通り、フレーム３０２は中心管腔２１６を画成し得る。
【００４３】
方法５４８は、フレームに外側スカートを形成すること５５２を含み得る。図６に示すように、外側スカートは、フレームの管腔外面に形成され得る。方法はまた、フレームの管腔内面に内側スカートを形成することを含み得る。いくつかの実施形態では、形成は、ポリマーを適所に堆積する、成形する、又は他の方法で置くことを含み得る。図６は、フレームに内側スカート３１８を形成する前、形成した後、又はその形成と同時に５５２、フレームに外側スカートを形成すること５５２によって生じる、外側スカート３２０が管腔外面２３２に配置され且つ内側スカート３１８がフレーム３０２の管腔内面２３０に配置されている状態の、フレーム３０２の断面を示す。
【００４４】
いくつかの実施形態では、方法５４８は、さらに、スペーサを位置決めすること、例えば外側スカート３２０にスペーサを位置決めすること５５４を含み得る。外側スカート３２０に配置されたスペーサ７６０の断面の実施形態は、図７に示されている。スペーサ７６０は、フラップを形成する間、又は製造プロセスの間のみなど、一時的に外側スカート３２０に配置され得る。スペーサは、フラップと、管腔外面２３２又は外側スカート３２０の一部分との間に間隙を画成するすなわちそれらを分離するように構成され得る。
【００４５】
様々な実施形態では、方法５４８はまた、フラップを形成すること５５６を含み得る。フラップは、第１の端部及び第２の端部を含み得る。第１の端部は、フレームの管腔外面に接着されることができ、及び第２の端部は、管腔外面から離れるように自由に動くことができる。スペーサ７６０は、図８に示すように、フラップ３２４の第２の端部３２８と管腔外面２３２との間に配置され得る。図８は、スペーサ７６０がフラップ３２４と外側スカート３２０の一部分との間に配置された状態の、フレーム３０２の断面を示す。いくつかの実施形態では、フラップを形成すること５５６は、熱可塑性ポリマーを堆積又は成形することを含み得る。いくつかの実施形態では、フラップ５５６は、外側スカート３２０又はその複数の部分と一緒に、一体的に成形され得る。
【００４６】
様々な実施形態では、方法５４８はまた、スペーサ７６０を除去することを含み得る。いくつかの実施形態では、スペーサ７６０は、フラップを形成するために使用されるポリマー材料に接着しないか又はそれから簡単に分離される材料で形成され得る。いくつかの実施形態では、スペーサ７６０は、ＰＴＦＥ（すなわち、ポリテトラフルオロエチレン）、ポリシロキサン、ポリエチレン、又はポリプロピレンで形成され得る。スペーサ７６０を除去することによって、図４に示すように、フラップ３２４とフレーム３０２の管腔外面２３２との間に空洞を画成し得るすなわちそれらを分離し得る。
【００４７】
いくつかの実施形態では、方法５４８は、さらに、例えば外側スカートに、第２のスペーサを位置決めすることを含み得る。方法９６２は、第１の端部及び第２の端部を含む第２のフラップを形成することを含み得る。第１の端部は、管腔外面又は外側スカートに接着されることができ、及び第２の端部は、管腔外面から離れるように自由に動くことができる。第２のスペーサは、フラップの第２の端部と外側スカートとの間に配置され得る。方法５４８はまた、第２のスペーサを除去することを含み得る。
【００４８】
図９は、様々な実施形態による、植込み可能な弁の作製方法９６２を示すフローチャートを示す。方法９６２は、フレームを得ること９６４を含み得る。上述の通り、フレーム３０２は中心管腔２１６を画成し得る。
【００４９】
いくつかの実施形態では、方法９６２は、さらに、スペーサを位置決めすること９６６、例えばフレーム３０２の管腔外面２３２にスペーサ７６０を位置決めすることを含み得る。フレーム３０２の管腔外面２３２に配置されたスペーサ７６０の断面の実施形態は、図１０に示されている。スペーサ７６０は、フラップを形成する間、又は製造プロセスの間のみなど、一時的に管腔外面２３２に配置され得る。スペーサ７６０は、フラップと管腔外面２３２との間に間隙を画成するすなわちそれらを分離するように構成され得る。
【００５０】
様々な実施形態では、方法９６２は、外側スカート及びフラップを形成すること９６８を含み得る。外側スカートは、図１１に示すように、フレームの管腔外面に形成され得る。方法はまた、フレームの管腔内面に内側スカートを形成することを含み得る。いくつかの実施形態では、形成は、熱可塑性ポリマーを堆積又は成形することを含み得る。図１１は、外側スカート３２０が管腔外面２３２に配置され、且つフラップ３２４がスペーサ７６０に配置されている状態の、フレーム３０２の断面を示す。図１１は、さらに、フレーム３０２の管腔内面２３０に配置された内側スカート３１８を示す。
【００５１】
上述の通り、フラップは、第１の端部及び第２の端部を含み得る。第１の端部は、フレームの管腔外面に接着されることができ、及び第２の端部は、管腔外面から離れるように自由に動くことができる。スペーサ７６０は、フラップ３２４の第２の端部３２８と管腔外面２３２との間に配置され得る。いくつかの実施形態では、外側スカート及びフラップを形成すること９６８は、熱可塑性ポリマーを堆積又は成形することを含み得る。
【００５２】
様々な実施形態では、方法９６２はまた、スペーサを除去すること９７０を含み得る。スペーサを除去すること９７０によって、図１２に示すように、フラップ３２４とフレーム３０２の管腔外面２３２との間に空洞を画成し得る。
【００５３】
いくつかの実施形態では、方法９６２は、さらに、管腔外面に第２のスペーサを位置決めすることを含み得る。方法９６２は、第１の端部及び第２の端部を含む第２のフラップを形成することを含み得る。第１の端部は、管腔外面に接着されることができ、及び第２の端部は、管腔外面から離れるように自由に動くことができる。第２のスペーサは、フラップの第２の端部と管腔外面との間に配置され得る。方法９６２はまた、第２のスペーサを除去することを含み得る。
【００５４】
いくつかの実施形態では、外側スカート３２０は第２のフラップ１３２４を含み得る。図１３は、様々な実施形態による、第２のフラップ１３２４を備える植込み可能な弁３００の一部分の断面図を示す。第２のフラップ１３２４は、第１の端部１３２６及び第２の端部１３２８を含み得る。フラップ３２４と同様に、第１の端部１３２６は、フレーム３０２の管腔外面２３２に接着又は固定され得、及び第２の端部１３２８は、フレーム３０２の管腔外面２３２から離れるように自由に動くことができる。
【００５５】
フラップ３２４及び第２のフラップ１３２４は、同じ方向に位置合わせされ得、フラップ３２４の第１の端部３２６及び第２のフラップ１３２４の第１の端部１３２６が、中心管腔２１６の入口３３６により近く、並びにフラップ３２４の第２の端部３２８及び第２のフラップ１３２４の第２の端部１３２８が、中心管腔２１６の出口３３８により近くなるようにされている。フラップ３２４に関する全ての説明は、第２のフラップ１３２４にも適用可能であることを理解すべきである。同様に、第２のスペーサは、第２のフラップ１３２４を画成するために、図５〜１２で説明した方法において使用され得る。
【００５６】
図１４及び図１５は、様々な実施形態によるスペーサを示す。いくつかの実施形態では、スペーサ１４６０は、図１４に示すような、長方形の条片とし得る。長方形の条片は、長方形の断面を有し得る。いくつかの実施形態では、スペーサ１５６０は、図１５に示すような、楔とし得る。楔は、例えば空洞又はポケットを形成するために、一方の端部の厚さが他方の端部よりも厚いとし得る。
ポリマー
多くの異なるポリマーが、本明細書の構成要素、例えば、弁葉、内側スカート、外側スカート、１つ又は複数のフラップなどを形成するために使用され得る。いくつかの実施形態では、例示的なポリマーは合成ポリマーである。しかしながら、いくつかの実施形態では、非合成ポリマーも使用され得る。いくつかの実施形態では、ポリマーは、流動性及び／又は成形用の組成物として出発し得る。いくつかの実施形態では、流動性状態は、ポリマーをその溶融温度超の温度に加熱することによって、達成され得る。ポリマー組成物が適所に置かれた後、冷却及び／又は凝固できるようにされ得る。いくつかの例では、ポリマーは熱可塑性ポリマーとし得る。いくつかの実施形態では、流動性状態は、行われ得る後の架橋、硬化、溶媒蒸発及び／又は重合ステップの前に、存在し得る。いくつかの例では、ポリマーは、最終形態において熱硬化性ポリマーとし得る。
【００５７】
いくつかの実施形態では、本明細書のポリマーは、ポリ（エチレンオキシド）、ポリエチレン、ポリエステル、ポリイソブチレンポリウレタン（ＰＩＢＵ）、ポリ（スチレン−ブロック−イソブチレン−ブロック−スチレン（ＳＩＢＳ）、ポリプロピレン、ポリスチレン、ポリ塩化ビニル、ポリイソブチレン（ＰＩＢ）、ポリ（スチレン）ポリウレタン、ポリフッ化ビニリデン（ｐｏｌｙｖｉｎｙｌｉｄｅｎｅ  ｄｉｆｌｕｏｒｉｄｅ）、ポリ（メタクリル酸メチル）、ポリエチレングリコール、ポリアニリン、ポリピロール、ポリチオフェン、ポリフェノール、ポリアセチレン、ポリフェニレン、ポリアクリロニトリル、ポリ乳酸、ポリカプロラクトン、ポリグリコリド、ポリ酢酸ビニル、ポリエチレンテレフタレート（ＰＥＴ）、酢酸セルロース、キトサン、タンパク質、炭水化物、及びこれらのうちの１種以上を含むコポリマーからなる群から選択された、１種以上のポリマーを含み得る。いくつかの実施形態では、弁の異なる部分は、異なるポリマー又はポリマー合金で形成され得るが、他の実施形態では、同じポリマー又はポリマー合金が使用され得る。
【００５８】
本明細書で説明した本技術の実施形態は、網羅的であることも、又は本技術を以下の詳細な説明に開示された正確な形態に限定することも意図していない。むしろ、実施形態は、当業者が本技術の原理及び実施を認識及び理解し得るように、選択及び説明される。
【００５９】
本明細書で言及した全ての刊行物及び特許は、参照により本書に援用される。本明細書で開示した刊行物及び特許は、それらの開示のためにのみ提供されている。本明細書では、本明細書で引用したいずれの刊行物及び／又は特許も含め、いずれの刊行物及び／又は特許よりも先だって本発明人らが権利を有しないことの承認とみなされるものではない。
【００６０】
本明細書及び添付の特許請求の範囲では、文脈上明白に他の意味を指示する場合を除いて、単数形「ａ」、「ａｎ」、及び「ｔｈｅ」は複数形を含むことに留意するべきである。それゆえ、例えば、「化合物」を含む組成物への言及は、２種以上の化合物の混合物を含む。文脈上明白に他の意味を指示する場合を除いて、用語「又は」は、文脈上明白に他の意味を指示する場合を除いて、一般的に、「及び／又は」を含む意味で用いられることにも留意するべきである。
【００６１】
本明細書及び添付の特許請求の範囲では、語句「構成された」は、特定のタスクを実施する又は特定の構成をとるように構造又は構成されるシステム、装置、又は他の構造を説明することにも留意するべきである。語句「構成された」は、例えば、配置され且つ構成された、構造され且つ配置された、構造され、製造され、且つ配置されたなどの他の同様の語句と交換可能に使用され得る。
【００６２】
本明細書中での全ての刊行物及び特許出願は、本技術に関する当業者のレベルを示す。全ての刊行物及び特許出願は、まるでそれぞれの個々の刊行物及び特許出願が参照により具体的且つ個別に援用されたのと同程度で、参照により本書に援用される。
【００６３】
本技術は、様々な具体的且つ好ましい実施形態及び技術を参照して説明された。しかしながら、多くの変形及び修正は、本技術の趣旨及び範囲内に留まりながら、なされ得ることが理解されるべきである。
【図１】
2021516569.tif 000003
【図２】
2021516569.tif 000004
【図３】
2021516569.tif 000005
【図４】
2021516569.tif 000006
【図５】
2021516569.tif 000007
【図６】
2021516569.tif 000008
【図７】
2021516569.tif 000009
【図８】
2021516569.tif 000010
【図９】
2021516569.tif 000011
【図１０】
2021516569.tif 000012
【図１１】
2021516569.tif 000013
【図１２】
2021516569.tif 000014
【図１３】
2021516569.tif 000015
【図１４】
2021516569.tif 000016
【図１５】
2021516569.tif 000017
【国際調査報告】
2021516569.tif 000018
2021516569.tif 000019